(57)【要約】【課題】  異なる電子装置のパネルに必要な発光ダイオードの光の量に応じて、等しい数量の光の案内柱の台座を接続し、異なる電子装置に合わせることができる光の案内柱の構造を提供する。【解決手段】  主に台座２１を設ける。台座２１には光の案内柱２３が少なくとも一つ外へ延ばされて設けられる。それら光の案内柱２３は、一端が電子装置の回路基板における発光ダイオードに接続され、もう一端が電子装置のパネルに接続される。そして、発光ダイオードから出て来る光が光の案内柱２３の導きを経由して、パネルに現れる。台座２１の一側辺から外へ延ばすように第一嵌め合いユニット２４が設置され、もう一つの側辺からも外へ延ばすように、第一嵌め合いユニット２４と合わせる第二嵌め合いユニット２５が設置される。台座２１の第一嵌め合いユニット２４を別の台座２１の第二嵌め合いユニット２５にはめ合わせると、二つの台座２１が接続される。【選択図】    図２
0003102190.tif 000002
【実用新案登録請求の範囲】
【請求項１】
光の案内柱の構造において、
電子装置に取り付けられ、電子装置の回路基板における発光ダイオードから出て来る光が案内柱の導きで電子装置のパネルから光を表現し、
台座の底部からクリップロックが少なくとも一つ外へ延ばされて設けられ、台座はクリップロックを経由して電子装置の回路基板の孔穴に嵌め込まれることにより、回路基板に接続され、
少なくとも一つの光の案内柱が外へ延ばされて台座に設けられ、その光の案内柱の一端が電子装置の回路基板における発光ダイオードに接続され、もう一端が電子装置のパネルに接続され、発光ダイオードから出て来る光が光の案内柱の導きを経由してパネルに現れ、
第一嵌め合いユニットが台座の一側辺に設置され、
第二嵌め合いユニットは第一嵌め合いユニットと合わせられ、台座のもう一つの側辺に設置され、台座の第一嵌め合いユニットを別の台座の第二嵌め合いユニットにはめ合わせると二つの台座が接続されることにより、ユーザは異なる電子装置のパネルに必要な発光ダイオードの光の量に応じて、等しい数量の光の案内柱の台座を接続し、異なる電子装置に合わせることを特徴とする光の案内柱の構造。
【請求項２】
第一嵌め合いユニットには台座と接続するプレートがあり、プレートの上面の中央に近い箇所に一本の円柱が設けられ、第二嵌め合いユニットにはＵ形の本体が設置され、本体の底部に第一嵌め合いユニットのプレートを収容する滑り溝が設けられ、プレートが滑り溝の中に取り付けられ、本体には円柱に対応する位置に円柱に合わせる貫通孔が配置され、プレートを滑り溝の中に入れる時に、円柱を経由して前記貫通孔に嵌め込み、第一嵌め合いユニットと第二嵌め合いユニットとを接続することを特徴とする請求項１記載の光の案内柱の構造。
【請求項３】
クリップロックには円錐形ヘッド及び柱形の底部があり、底部は台座と接続する場合にその高さが電子装置の回路基板の厚さと等しくなり、底部の外径は円錐形ヘッドの底端より小さく、円錐形ヘッド及び底部の中央に開口が用意され、クリップロックが弾性を有することにより、台座がクリップロックを経由して電子装置の回路基板における孔穴にはめ込まれ、回路基板に接続されることを特徴とする請求項１記載の光の案内柱の構造。
【請求項４】
光の案内柱に同時に光の案内柱に付けられる強化肋が少なくとも一つ設けられ、強化肋で光の案内柱の強度を高め、衝撃で光の案内柱を損害することを避けることを特徴とする請求項１記載の光の案内柱の構造。
【請求項５】
電子装置はネットワークのハブであることを特徴とする請求項１記載の光の案内柱の構造。
【考案の詳細な説明】
【技術分野】
【０００１】
本考案は光の案内柱の構造に関するものであり、特に、異なる電子装置パネルに必要な発光ダイオードの光の量に応じて、等しい数量の光の案内柱の台座を接続し、異なる電子装置に合わせる目的を達成する構造に関するものである。
【背景技術】
【０００２】
従来より、既存の伝統の光の案内柱の構造は図１に示すように、電子装置(例えば、ネットワークのハッブ)の回路基板に取り付けられる。そんな構造に台座１１がある。台座１１の底部から、少なくとも一つのクリップロック１２が外へ延ばされるように設けられる。台座１１はクリップロック１２を経由して回路基板の孔穴（図示せず）に嵌め込む。最終的に、台座１１を回路基板に接続する。
【０００３】
図１に示すように、台座１１に光の案内柱１３は複数外へ延ばされるように設けられる。それら光の案内柱１３は円弧状となり、一端が回路基板の発光ダイオード（LED）（図示せず）に接続され、もう一端が電子装置のパネル（図示せず）に接続される。そして、発光ダイオードから出て来る光がそれら光の案内柱１３の導きを経由して、パネルに現れる。つまり、電子装置がそれら発光ダイオードを利用して作業の状況を表す場合に、光の案内柱１３を経由して発光ダイオードの光をパネルに表す。
【考案の開示】
【考案が解決しようとする課題】
【０００４】
しかしながら、従来より既存の光の案内柱は一体化のように成形される。光の案内柱の数量が一定で変らないので、電子装置がパネルの設計を変更し、又は発光ダイオードの表現数量を増加すると、従来の光の案内柱の構造は使用できず、別に設計しなければならない。そうすると、新しい光の案内柱構造の設計費が増加するばかりでなく、新しい光の案内柱の金型のコストもアップし、不便であることが分かる。
【０００５】
したがって本考案の目的は、異なる電子装置のパネルに必要な発光ダイオードの光の量に応じて、等しい数量の光の案内柱の台座を接続し、異なる電子装置に合わせることができる光の案内柱の構造を提供することにある。
【課題を解決するための手段】
【０００６】
本考案者は前掲の既存の光の案内柱構造が異なる電子装置に合わないという欠陥を解決するために、電子装置に携わってきた製造経験、技術の累積に基づいて、解決の仕方を絶えず研究したり、試験したり、改良したりすることにより、ようやく本考案の光の案内柱構造を開発した。そんな構造には主に台座を設ける。台座には、光の案内柱が少なくとも一つ外へ延ばされる。その光の案内柱は一端が発光ダイオード（LED）に接続され、もう一端が電子装置のパネルに接続される。そして、発光ダイオードから出て来る光がその光の案内柱の導きを経由して、パネルに現れる。台座の一側辺から外へ延ばすように第一嵌め合いユニットが設置され、もう一つの側辺からも外へ延ばすように、第一嵌め合いユニットと合わせる第二嵌め合いユニットが設置される。台座の第一嵌め合いユニットを別の台座の第二嵌め合いユニットにはめ合わせると、二つの台座が接続される。そうすると、ユーザが異なる電子装置パネルに必要な発光ダイオードの光の量に応じて、等しい数量の光の案内柱の台座を接続し、異なる電子装置に合わせるという目的に役立つ。
【０００７】
本考案の光の案内柱構造において、台座の底部には外へ延ばされるように少なくとも一つのクリップロックを設ける。台座はクリップロックを経由して、電子装置の回路基板の孔穴に嵌め込む。よって、台座を回路基板に接続することができる。
さらに本考案の光の案内柱構造において、光の案内柱に強化肋が少なくとも一つ同時に案内柱に付けられるように設けられる。強化肋で光の案内柱の強度を高めて、衝撃で光の案内柱を損害することを避ける。
【考案を実施するための最良の形態】
【０００８】
本考案の目的、特徴、効果などの理解のために、以下、具体的な実施例を図面とあわせて詳しく説明する。
まずは図２、図３を参照する。本考案の一実施例による光の案内柱の構造は、電子装置４０（例えばネットワークのハッブ）に取り付けられる。電子装置４０の回路基板における発光ダイオード（LED）から出て来る光は案内柱の導きで電子装置４０のパネルから光を表現する。主に、台座２１を設ける。台座２１の底部から、クリップロック２２が少なくとも一つ外へ延ばされて設けられる。台座２１はクリップロック２２を経由して電子装置４０の回路基板の孔穴（図示せず）に嵌め込む。それで、台座２１を回路基板に接続する。
【０００９】
図２、図３に示すように、台座２１には光の案内柱２３が少なくとも一つ外へ延ばされて設けられる。それら光の案内柱２３は円弧状となり、相互に平行している。その一端が電子装置４０の回路基板における発光ダイオード（LED）（図示せず）に接続され、もう一端が電子装置４０のパネル４１に接続される。そして、発光ダイオードから出て来る光が光の案内柱２３の導きを経由して、パネル４１に現れる。台座２１の一側辺から外へ延ばすように第一嵌め合いユニット２４が設置され、もう一つの側辺からも外へ延ばすように、第一嵌め合いユニット２４と合わせる第二嵌め合いユニット２５が設置される。
【００１０】
以上のコンポネットの組成で、図２、図３に示すように、台座２１の第一嵌め合いユニット２４を別の台座２１の第二嵌め合いユニット２５にはめ合わせると、二つの台座２１が接続される。そうすると、ユーザは異なる電子装置４０のパネル４１に必要な発光ダイオードの光の量に応じて、等しい数量の光の案内柱２３の台座２１を接続し、異なる電子装置に合わせるという目的を遂げる。
【００１１】
本実施例では、図２、図３に示すように、第一嵌め合いユニット２４には台座２１と接続するプレート２４１がある。プレート２４１の上面の中央に近い箇所に一本の円柱２４２が設けられる。第二嵌め合いユニット２５にはU形本体２５１が設置される。本体２５１の底部には第一嵌め合いユニット２４のプレート２４１を収容する滑り溝２５２が設けられる。それで、プレート２４１が滑り溝２５２の中に取り付けられる。本体２５１には、円柱２４２に対応する位置に円柱２４２に合わせる貫通孔２５３が配置される。プレート２４１を滑り溝２５２の中に入れる時に、円柱２４２を経由してその貫通孔２５３に嵌め込んで、第一嵌め合いユニット２４と第二嵌め合いユニット２５を緊密に接続する。
【００１２】
図２を参照する。クリップロック２２には、円錐形ヘッド２２１及び柱形の底部２２２がある。底部２２２は台座２１と接続する場合に、その高さが電子装置４０の回路基板の厚さと等しい。底部２２２の外径は円錐形ヘッド２２１の底端より小さい。円錐形ヘッド２２１、底部２２２の中央に開口２２３が用意され、クリップロック２２が弾性を有するので、台座２１がクリップロック２２を経由して電子装置４０の回路基板における孔穴（図示せず）にはめ込まれる。これによって、台座２１を回路基板に接続する。
【００１３】
また、図２に示すように、光の案内柱２３に、同時に光の案内柱２３に付ける強化肋２６が少なくとも一つ設けられる。強化肋２６で光の案内柱２３の強度を高めて、衝撃で光の案内柱２３を損害することを避ける。
以上の内容をまとめると、異なる電子装置４０のパネル４１における発光ダイオードから出て来る光の量に応じることができる。ゆえに、異なる電子装置４０に使用しても、改めて設計することがいらず、新しい設計及び金型の費用を免除する。
【図面の簡単な説明】
【００１４】
【図１】従来より既存の製品を示す立体図である。
【図２】本考案の一実施例による光の案内柱の構造の案内板を接続する状態を示す立体図である。
【図３】本考案の一実施例による光の案内柱の構造の使用状態を示す模式図である。
【符号の説明】
【００１５】
２１  台座、２２  クリップロック、２３  光の案内柱、２４  第一嵌め合いユニット、２５  第二嵌め合いユニット、２６  強化肋、４０  電子装置、４１  パネル、２２１  円錐形ヘッド、２２２  底部、２２３  開口、２４１  プレート、２４２  円柱、２５１  本体、２５２  滑り溝、２５３  貫通孔
【図１】
0003102190.tif 000003
【図２】
0003102190.tif 000004
【図３】
0003102190.tif 000005